(57)【要約】【課題】ＲＯＭ等の記憶素子やＣＰＵ等の電子素子を設ける回路基板として、柔軟性に富むフレキシブル基板を活用して、ＲＯＭシール等のシールをフレキシブル基板に貼り付けることで、シールをフレキシブル基板から剥がし易くして、電子素子やフレキシブル基板の再利用を容易に実現するようにした回路ユニットを備えてなる遊技機を提供する。【解決手段】フレキシブル基板２６１を、その右側部にて、裏面２６１ａ側から表面２６１ｂ側に向けて図示矢印Ａにて示す方向に捻るように湾曲させると、ＲＯＭシール２６６は、図示右上側隅角部２６６ａにて、フレキシブル基板２６１の右側部から剥がれる。従って、ＲＯＭシール２６６の右上側隅角部２６６ａを、例えば、手の指ではさんで、フレキシブル基板２６１から引き離せば、ＲＯＭシール２６６を、全体的に、フレキシブル基板２６１から容易に剥がすことができる。【選択図】図８
2010227480.tif 000002
【特許請求の範囲】
【請求項１】
回路ユニットを備える遊技機において、
前記回路ユニットは、
フレキシブル基板と、
このフレキシブル基板の面に設けたＲＯＭその他の電子素子と、
前記フレキシブル基板の前記面の一部に所定の接着剤により貼着されて前記ＲＯＭを少なくとも特定する識別標記体を表示してなるシールとを備えることを特徴とする遊技機。
【請求項２】
前記シールは、前記フレキシブル基板からその湾曲下にて復元力により剥がれる程度の弾性を有するシール材料でもって形成されており、
前記所定の接着剤は、前記フレキシブル基板の湾曲下にて前記シールを前記フレキシブル基板から剥がせるような接着剤からなることを特徴とする請求項１に記載の遊技機。
【請求項３】
前記シールは、前記フレキシブル基板のうち前記ＲＯＭの近傍部位であって曲げ易い部位に貼着してなるＲＯＭシールであることを特徴とする請求項１または２に記載の遊技機。
【請求項４】
前記フレキシブル基板の前記曲げ易い部位は、当該フレキシブル基板の縁側部位であることを特徴とする請求項３に記載の遊技機。
【発明の詳細な説明】
【技術分野】
【０００１】
本発明は、読みだし専用メモリー（ＲＯＭ）等の記憶素子や中央演算処理ユニット（ＣＰＵ）等の電子素子を回路基板に設けて構成する回路ユニットを備えてなる遊技機に関する。
【背景技術】
【０００２】
従来、この種の遊技機としては、例えば、下記特許文献１に記載の遊技機が提案されている。この遊技機は、基板ボックスを備えており、この基板ボックス内には、ＲＯＭを装着した制御基板が収容されている。ここで、ＲＯＭの表面には、当該遊技機のメーカ名等を記載したＲＯＭシールが接着剤により貼り付けられている。
【先行技術文献】
【特許文献】
【０００３】
【特許文献１】特開２００６−２３１０４２号公報
【発明の概要】
【発明が解決しようとする課題】
【０００４】
ところで、上述の遊技機において、省資源の観点からすれば当然のことであるが、ＲＯＭが特に高価であることからＲＯＭを再利用したいという要請が強い。従って、かかる要請に応えるにあたっては、上述のＲＯＭシールをＲＯＭから剥がす必要がある。
【０００５】
しかしながら、ＲＯＭの表面に対するＲＯＭシールの貼り付けがしっかりとなされているため、ＲＯＭシールをＲＯＭの表面から手で剥がそうとすると、ＲＯＭシールが破れてＲＯＭの表面に部分的に残るおそれがある。また、ＲＯＭシールを、例えば、ピンセットを用いてＲＯＭの表面から剥がそうとすると、ＲＯＭを装着した制御基板をピンセットにより傷を付けてしまうおそれがある。
【０００６】
また、仮にＲＯＭシールを剥がすことができたとしても、ＲＯＭシールの痕跡を残さないように、ＲＯＭを洗浄しなければならないという余分な作業を要する。
【０００７】
これに対しては、ＲＯＭシールをＲＯＭの近傍にて制御基板の表面に貼り付けることが考えられるが、これでは、制御基板の再利用にあたり、上述と同様のおそれが発生する。
【０００８】
そこで、本発明は、以上のようなことに対処するため、ＲＯＭ等の記憶素子やＣＰＵ等の電子素子を設ける回路基板として、柔軟性に富むフレキシブル基板を活用して、ＲＯＭシール等のシールをフレキシブル基板に貼り付けることで、シールをフレキシブル基板から剥がし易くして、電子素子やフレキシブル基板の再利用を容易に実現するようにした回路ユニットを備えてなる遊技機を提供することを目的とする。
【課題を解決するための手段】
【０００９】
上記課題の解決にあたり、本発明に係る遊技機は、請求項１の記載によれば、
回路ユニット（２６０）を備える。
【００１０】
当該回路ユニットは、
フレキシブル基板（２６１）と、
このフレキシブル基板の面（２６１ａ、２６１ｂ）に設けたＲＯＭその他の電子素子（２６２、２６３、２６４）と、
フレキシブル基板の上記面の一部に所定の接着剤により貼着されてＲＯＭを少なくとも特定する識別標記体を表示してなるシール（２６６）とを備えることを特徴とする。
【００１１】
これによれば、フレキシブル基板が柔軟性を有することを利用して、当該フレキシブル基板を、その上記面の一部にて、上記面側からその反対側の面側に向けて湾曲させると、シールは、フレキシブル基板の上記面の一部に対応する部位にて、当該フレキシブル基板の上記面の一部から剥がれる。
【００１２】
従って、このようにフレキシブル基板の上記面の一部から剥がれたシールの部位を、例えば、手の指ではさんで、フレキシブル基板から引き離せば、シールを、全体的に、フレキシブル基板から容易に剥がすことができる。なお、シールをフレキシブル基板から剥がすにあたり、ピンセットを用いる必要がないので、当該ピンセットでもってフレキシブル基板を傷つけるという事態が発生することはない。
【００１３】
ここで、シールは、ＲＯＭではなく、フレキシブル基板の上記面に貼着されているので、ＲＯＭをフレキシブル基板から取り外すという作業だけで、当該ＲＯＭの再利用が容易に可能となる。この場合、上述のごとく、シールはＲＯＭの表面に貼着されてはいないので、当該シールをＲＯＭの表面から無理矢理剥がすという面倒な作業の発生や、この作業の結果、シールの痕跡が当該ＲＯＭの表面に残るという不具合の発生を未然に防止することができる。
【００１４】
また、フレキシブル基板の上記面の一部に貼着されているシールを剥がすにあたっては、上述のごとくフレキシブル基板を湾曲させることで当該フレキシブル基板から部分的に剥がれたシールをフレキシブル基板から引き離すだけで、当該シールを全体的にフレキシブル基板の上記面から良好にかつ容易に剥がすことができる。従って、フレキシブル基板を、シールの痕跡を残すことなく、良好に再利用することができる。
【００１５】
また、本発明は、請求項２の記載によれば、請求項１に記載の遊技機において、
シールは、フレキシブル基板からその湾曲下にて復元力により剥がれる程度の弾性を有するシール材料でもって形成されており、
上記所定の接着剤は、前記フレキシブル基板の湾曲下にて前記シールを前記フレキシブル基板から剥がせるような接着剤からなることを特徴とする。
【００１６】
このように、シールが、フレキシブル基板からその湾曲下にて復元力により剥がれる程度の弾性を有するシール材料でもって形成されており、かつ、上記所定の接着剤が、フレキシブル基板の湾曲下にてシールを当該フレキシブル基板から剥がせるような接着剤であることから、当該フレキシブル基板を、その上記面の一部にて、上記面側からその反対側に面側に向けて湾曲させると、シールは、フレキシブル基板上記面の一部に対応する部位
にて、フレキシブル基板の上記面から容易に剥がれる。その結果、請求項１に記載の発明の作用効果をより一層向上することができる。
【００１７】
また、本発明は、請求項３の記載によれば、請求項１または２に記載の遊技機において、
シールは、フレキシブル基板のうちＲＯＭの近傍部位であって曲げ易い部位に貼着してなるＲＯＭシールであることを特徴とする。
【００１８】
これにより、当該シールが、ＲＯＭを特定するＲＯＭシールであることを明確に認識させる役割を果たしつつ、請求項１または２に記載の発明の作用効果をより一層具体的に向上させることができる。
【００１９】
また、本発明は、請求項４の記載によれば、請求項３に記載の遊技機において、
フレキシブル基板の上記曲げ易い部位は、当該フレキシブル基板の縁側部位であることを特徴とする。
【００２０】
これによれば、シールがフレキシブル基板の縁側部位に貼着されることから、当該縁側部位を湾曲させることで、シールをフレキシブル基板からより一層容易に剥がすことができる。
【００２１】
なお、上記各手段の括弧内の符号は、後述する実施形態に記載の具体的手段との対応関係を示すものである。
【図面の簡単な説明】
【００２２】
【図１】本発明に係るパチンコ遊技機の一実施形態を示す前面図である。
【図２】図１の遊技盤の前面図である。
【図３】図１の遊技盤本体の背面斜視図である。
【図４】図３の遊技盤本体の分解斜視図である。
【図５】図４の表示装置本体を、蓋体を取り外した状態で示す背面斜視図である。
【図６】図５の最下段の回路ユニットをその裏面側からみた斜視図である。
【図７】図５の最下段の回路ユニットをその表面側からみた斜視図である。
【図８】図７のフレキシブル基板の湾曲状態を示す部分破断斜視図である。
【発明を実施するための形態】
【００２３】
以下、本発明の一実施形態を図面により説明する。図１は、本発明が適用されるパチンコ遊技機の一実施形態を示している。当該パチンコ遊技機は、パチンコホール内の島に立設されるもので、このパチンコ遊技機は、機枠（図示しない）と、この機枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００２４】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体にて、上記機枠に対し前後方向に開閉可能に支持されている。
【００２５】
また、当該遊技機本体Ｂは、ガイドレール２０、環状のセンター飾り３０及び多数の障害釘からなる障害釘群４０を備えている。ガイドレール２０は、遊技盤１０の盤面１１に沿い配設されており、このガイドレール２０は、その内周側において、遊技盤１０の盤面１１上に遊技領域１２を特定する。しかして、ガイドレール２０は、ハンドルＨ（図１参照）の回動操作により、球発射装置（図示しない）から発射される遊技球を案内して、遊技領域１２内に転動させる。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００２６】
センター飾り３０は、図２にて示すごとく、遊技盤１０の中央開口部の外周部に盤面１１側から組み付けられている。障害釘群４０の各障害釘は、ガイドレール２０の内側において、センター飾り３０の左側から下側にかけて、遊技盤１０にその盤面１１側から分散して打ち込まれている。しかして、障害釘群４０によれば、ガイドレール２０から遊技領域１２内に転動する遊技球が、遊技盤１０の盤面１１に沿い、各障害釘との衝突を経て、下方へ転動する。
【００２７】
また、当該遊技機本体Ｂは、スタートチャッカー５０、電動チューリップ６０、スルーゲート７０、風車８０、複数の普通入賞口９０、アタッカー１００、複数の星形盤ランプ１１０及び複数の星形可動役物１２０を備えており、スタートチャッカー５０、電動チューリップ６０、スルーゲート７０、風車８０、各普通入賞口９０、アタッカー１００及び各星形盤ランプ１１０は、図２にて示す各位置にて、遊技盤１０の盤面１１に遊技領域１２内にて組み付けられている。また、各星形可動役物１２０は、図２にて示すごとく、センター飾り３０の右側部に配設されている。
【００２８】
また、当該遊技機本体Ｂは、図２〜図４にて示すごとく、表示演出装置２００を備えており、この表示演出装置２００は、遊技盤１０の中央部に設けた開口部１３（図４参照）から前方を臨むように、遊技盤１０にその背面側から装着されている。
【００２９】
表示演出装置２００は、図４或いは図５にて示すごとく、装置本体２００ａと、この装置本体２００ａをその背面から閉塞する蓋体２００ｂとにより構成されている。装置本体２００ａは、遊技機本体Ｂの遊技盤１０にその背面から装着されており、この装置本体２００ａは、図５にて示すごとく、液晶パネル２１０と、ランプ制御盤２１０ａと、演出制御盤２１０ｂと、複数の回路素子２２０と、複数の回路ユニット２３０〜２６０とを備えている。
【００３０】
ここで、液晶パネル２１０は、その表示面にて、遊技盤１０の開口部１３を通して前方を臨むように、当該開口部１３に装着されている。ランプ制御盤２１０ａ及び演出制御盤２１０ｂは、図５にて示すごとく、液晶パネル２１０にその背面側から左右に並んで装着されている。なお、ランプ制御盤２１０ａは、当該パチンコ遊技機における種々の電飾発光制御を司るものであって、パチンコ遊技機の機種によっては、変わり得る制御盤であるが、どちらかといえば、パチンコ遊技機の各機種に共通の制御盤である。また、演出制御盤２１０ｂは、当該パチンコ遊技機の演出全般の制御を司るものであるが、この演出制御盤２１０ｂは、パチンコ遊技機の各機種に共通の制御盤である。複数の回路素子２２０のうち、図５にて下側に位置する３つの回路素子２２０は、共に、コネクターである。
【００３１】
複数の回路ユニット２３０〜２６０は、図５にて示すごとく、装置本体２００ａの背面に、その図示右下部位にて上下に並んで装着されている。ここで、最下段に位置する回路ユニット２６０は、図６或いは図７にて示すごとく、フレキシブル基板２６１と、ＣＰＵ２６２、ＲＯＭ２６３、ＲＡＭ２６４及びコネクター２６５とを備えている。
【００３２】
フレキシブル基板２６１は、柔軟性電気絶縁樹脂材料（例えば、ポリイミド樹脂材料）からなる長手状の薄膜の両面に導電性配線パターンを形成して構成されており、このフレキシブル基板２６１は、その幅方向一側縁部（図７にて図示上下方向一側縁部）にて、表示装置本体２００ａの背面の右下部位に形成した帯状溝部（図示しない）内に嵌着されて、表示装置本体２００ａの背面方向に延出している。
【００３３】
ＣＰＵ２６２、ＲＯＭ２６３及びＲＡＭ２６４は、図７にて示すごとく、フレキシブル基板１６１の裏面２６１ａにその長手方向（図７にて図示左右方向）に間隔をおいて並んで装着されている。また、コネクター２６５は、図６にて示すごとく、フレキシブル基板２６１の表面２６１ｂに装着されており、このコネクター２６５には、ＣＰＵ２６２、ＲＯＭ２６３及びＲＡＭ２６４の各接続端子が、フレキシブル基板２６１を通して接続されている。
【００３４】
ここで、ＲＯＭ２６３には、ＣＰＵ２６２により実行される制御プログラムが、種々のデータと共に、予め記憶されている。ＣＰＵ２６２は、上記制御プログラムを実行して、コネクター２６５を介して液晶パネル２１０の表示制御を行う。ＲＡＭ２６４は、ＣＰＵ２６２により処理されるデータを、当該ＣＰＵ２６２によりコネクター２６５を介し入力されて記憶する。なお、本実施形態において、ＲＯＭ２６３に記憶される種々のデータは、ランプ、可動物や液晶パネル等に当該パチンコ遊技機に特有の演出や表示を行わせるためのデータである。
【００３５】
また、回路ユニット２６０は、図７にて示すごとく、ＲＯＭシール２６６を有しており、このＲＯＭシール２６６には、ＲＯＭ２６３の製造番号や当該パチンコ遊技機の型式番号（数字やアルファベット等からなる）等の各種識別文字その他の識別標記体が表示されている。なお、ＲＯＭシール２６６のシール材料としては、例えば、厚手の上質紙、ミラコート紙、厚手の和紙、ユポ或いはテトロンが挙げられる。
【００３６】
しかして、当該ＲＯＭシール２６６は、フレキシブル基板２６１の裏面２６１ａのうちＲＯＭ２６３の近傍部位に所定の接着剤により貼着されている。具体的には、当該ＲＯＭシール２６６は、図７にて示すごとく、ＲＯＭ２６３とＲＡＭ２６４の間において、フレキシブル基板２６１の裏面２６１ａにその幅方向一側縁部側の部位２６１ｃにおいて貼着されている。本実施形態において、上記所定の接着剤としては、フレキシブル基板２６１の湾曲下にてＲＯＭシール２６６を当該フレキシブル基板２６１から剥がせるような接着剤が採用されている。
【００３７】
以上のように構成した本実施形態において、例えば、当該パチンコ遊技機の遊技盤本体Ｂを新たな遊技盤本体に交換する際には、遊技盤本体Ｂのうち再利用可能なものは、当該遊技盤本体Ｂから取り外して再利用を図ることが、省資源の観点から要請されている。
【００３８】
例えば、上述した画像表示装置２００の回路ユニット２６０の再利用を図るにあたっては、蓋体２００ｂを表示装置本体２００ａから取り外した後、回路ユニット２６０を、表示装置本体２００ａから取り外す。
【００３９】
然る後、回路ユニット２６０のフレキシブル基板２６１が柔軟性を有することを利用して、当該フレキシブル基板２６１を、図８にて示すごとく、その右側部にて、裏面２６１ａ側から表面２６１ｂ側に向けて図示矢印Ａにて示す方向に捻るように湾曲させる。
【００４０】
ここで、ＲＯＭシール２６６は、上述のごとく、フレキシブル基板２６１からその湾曲下にて復元力により剥がれる程度の弾性を有するシール材料でもって形成されており、かつ、上記所定の接着剤が、上述のごとく、フレキシブル基板２６１の湾曲下にてＲＯＭシール２６６を当該フレキシブル基板２６１から剥がせるような接着剤である。このため、上述のようにフレキシブル基板２６１をその右側部にて湾曲させると、ＲＯＭシール２６６は、図８にて図示右上側隅角部２６６ａにて、フレキシブル基板２６１の右側部から剥がれる。
【００４１】
従って、ＲＯＭシール２６６の右上側隅角部２６６ａ（図８参照）を、例えば、手の指ではさんで、フレキシブル基板２６１から引き離せば、ＲＯＭシール２６６を、全体的に、フレキシブル基板２６１から容易に剥がすことができる。なお、上述のようにＲＯＭシール２６６を剥がすにあたり、ピンセットを用いる必要がないので、当該フレキシブル基板２６１を当該ピンセットで傷つけることはない。
【００４２】
以上説明したように、本実施形態によれば、上述のごとく、ＲＯＭシール２６６は、ＲＯＭ２６３ではなく、フレキシブル基板２６１の裏面２６１ａに貼着されているので、回路ユニット２６０の再利用にあたっては、ＲＯＭ２６３をコネクター２６５及びフレキシブル基板２６１から取り外すという作業だけで、当該ＲＯＭ２６３の再利用が容易に可能となる。このことは、高価なＲＯＭの再利用が、簡単な作業でもって可能となることを意味する。
【００４３】
ここで、上述のごとく、ＲＯＭシール２６６はＲＯＭ２６３の表面に貼着されてはいないので、ＲＯＭシールをＲＯＭ２６３の表面から無理矢理剥がすという面倒な作業の発生や、この作業の結果、ＲＯＭシールの痕跡が当該ＲＯＭ２６３の表面に残るという不具合の発生を未然に防止することができる。このことは、ＲＡＭ２６４やＣＰＵ２６２についても同様に成立する。
【００４４】
また、フレキシブル基板２６１の裏面２６１ａに貼着されているＲＯＭシール２６６を剥がすにあたっては、上述のごとく、フレキシブル基板２６１を湾曲させることで当該フレキシブル基板２６１から部分的に剥がれたＲＯＭシール２６６をフレキシブル基板２６１から引き離すだけで、ＲＯＭシール２６６を全体的にフレキシブル基板２６１の裏面から良好にかつ容易に剥がすことができる。従って、フレキシブル基板２６１を、ＲＯＭシール２６６の痕跡を残すことなく、良好に再利用することができる。
【００４５】
また、ＲＯＭ２６３の再利用にあたり、ＲＯＭ２６３をフレキシブル基板２６１に接続したままで当該ＲＯＭ２６３のデータや制御プログラムを書き換え可能な場合には、上述のごとくＲＯＭシール２６６を剥がすのみで、ＲＯＭ２６３をフレキシブル基板２６１に接続したまま再利用に供することができる。なお、書き換え後のＲＯＭ２６３には、その識別に要する新たなＲＯＭシールをフレキシブル基板２６１に貼着する。
【００４６】
なお、本発明の実施にあたり、上記実施形態に限ることなく、次のような種々の変形例が挙げられる。
（１）ＲＯＭシール２６６のフレキシブル基板２６１に対する貼着位置は、ＲＯＭ２６３の近傍であることが望ましいものの、フレキシブル基板２６１の曲げ易い部分であれば、特に制限はない。
（２）ＣＰＵ２６２、ＲＯＭ２６３、ＲＡＭ２６４及びＲＯＭシール２６６は、上記実施形態とは異なり、コネクター２６５に代えて、フレキシブル基板２６１の表面２６１ｂに設けるようにしてもよい。なお、この場合、コネクター２６５は、フレキシブル基板２６１の裏面２６１ａに設ければよい。
（２）本発明の実施にあたり、パチンコ遊技機に限ることなく、例えば、回路基板ユニットを備えるスロットルマシン（回胴式遊技機）等の各種遊技機に本発明を適用してもよい。
【符号の説明】
【００４７】
２６０…回路ユニット、２６１…フレキシブル基板、２６２…ＣＰＵ、２６３…ＲＯＭ、２６４…ＲＡＭ、２６６…ＲＯＭシール。
【図１】
2010227480.tif 000003
【図２】
2010227480.tif 000004
【図３】
2010227480.tif 000005
【図４】
2010227480.tif 000006
【図５】
2010227480.tif 000007
【図６】
2010227480.tif 000008
【図７】
2010227480.tif 000009
【図８】
2010227480.tif 000010